(57)【要約】【課題】粘着テープの一端に非粘着部が設けられていると、貼り付けられた粘着テープを簡単に剥がすことができる。そこで、片手でも簡単に粘着テープの端を折り合わすことを可能にする補助装置を有した粘着テープカッターを提案する。【解決手段】テープロール１とテープ切断刃２の間に剥離手段３は位置する。粘着テープ４は５に示す位置まで引っ張られ、切断刃２により切断される。剥離手段３がなければテープロール１から引き出されたテープ４の先端は切断刃２に粘着する。剥離手段３は、この切断刃２に粘着しているテープ４の中間位置を押圧して当該テープの先端を切断刃２から引き剥がすとともに、テープ４の中間位置を粘着させたまま６に示す状態に保持する。６に示すように、テープ４の先端が宙に浮いている状態の時には、片手でも簡単にテープ４の先端をつまんで折り合わせることができる。【選択図】図１
2005213040.tif 000002
【特許請求の範囲】
【請求項１】
粘着テープロールと、テープロールから引き出された粘着テープを切断する切断刃との間に剥離手段を備え、
その剥離手段が、テープロールから引き出されて先端が前記切断刃に粘着しているテープの中間位置を押圧して当該テープ先端を切断刃から引きはがすとともに、テープの中間位置を粘着させたまま保持することの可能な押圧部を備えたものであることを特徴とするテープカッター。
【請求項２】
剥離手段が、弾性体をさらに備え、その弾性体の先端に前記押圧部が設けられているものである。
【請求項３】
前記押圧部が粘着テープを切断刃から引き剥がす際にテープロール側へ移動するものである請求項１又は２記載のテープカッター。
【請求項４】
前記押圧部が、粘着テープを中心線部分が盛り上がったアーチ状にして保持するものである請求項１、２又は３記載のテープカッター。
【請求項５】
剥離手段が切断刃と一体となっている請求項１、２、３又は４記載のテープカッター。
【発明の詳細な説明】
【技術分野】
【０００１】
本発明は、有用な補助装置を有した粘着テープカッターに関する。
【背景技術】
【０００２】
粘着テープの一端に非粘着部が設けられていると、貼り付けられた粘着テープを簡単に剥がすことができる。
【０００３】
粘着テープの一端に非粘着部を設ける方法として、粘着テープの端を折り合わすという方法が一般に行われている。しかし、一般的には、粘着テープの端を折り合わせるためには両手を必要とし、手間がかかるだけでなく、手も粘着面も汚れてしまう。
【０００４】
そのため、片手でも簡単に粘着テープの端を折り合わすことが可能な粘着テープカッターが望まれている。
【０００５】
これまでにも、粘着テープの端を折り合わすことが可能な粘着テープカッターは提案されてきが、従来のものは機構が複雑であり、耐久性およびコストの面で問題があった。
【特許文献１】特開２００１−１６３５１０
【特許文献２】特開２０００−３３５８１４
【特許文献３】特開２０００−１４３０７７
【特許文献４】特開平１０−０３５９８９
【特許文献５】特開平１０−２５０９０４
【特許文献６】特開平０９−１０００６１
【特許文献７】特開平０８−０２６５７６
【特許文献８】特開平０７−２１５５６４
【発明の開示】
【発明が解決しようとする課題】
【０００６】
本発明は、このような問題に鑑みてなされたものであって、非常に単純な機構をもってして、簡単に粘着テープの端を折り合わせることを可能とする装置を有した粘着テープカッターを提供することを主たる課題としている。
【課題を解決するための手段】
【０００７】
粘着テープロールと、テープロールから引き出された粘着テープを切断する切断刃との間に剥離手段を備え、その剥離手段が、テープロールから引き出されて先端が前記切断刃に粘着しているテープの中間位置を押圧して当該テープ先端を切断刃から引きはがすとともに、テープの中間位置を粘着させたまま保持することの可能な押圧部を備えたものであることを特徴とするテープカッターである。
【０００８】
剥離手段は、弾性体をさらに備え、その弾性体の先端に前記押圧部が設けられているものであることが望ましい。
【０００９】
また、前記押圧部は粘着テープを切断刃から引き剥がす際にテープロール側へ移動するものであることが望ましい。
【００１０】
さらに、前記押圧部が、粘着テープを中心線部分が盛り上がったアーチ状にして保持するものであると、粘着テープをつまんで折り合わせやすい状態で保持することができる。
【００１１】
剥離手段が切断刃と一体となっていると、低コスト化、製造簡単化等の点から、より望ましい。
【発明の効果】
【００１２】
本発明によれば、粘着テープ切断後、テープロール側に残った粘着テープの先端は宙に浮いた形になるので、その先端部をつまみ折り合わせることにより、片手でも簡単に粘着テープの一端に非粘着部を形成させることができる。
【発明を実施するための最良の形態】
【００１３】
以下、本発明について図面を参照して説明する。
【００１４】
図１は、本発明の一実施形態に係るテープカッターを示す全体の概略図である。テープロール１とテープ切断刃２の間に剥離手段３は位置する。
【００１５】
粘着テープ４を切断する際には、テープは５に示す位置まで引っ張られ、切断刃２により切断される。剥離装置３がなければテープロール１から引き出された粘着テープ４の先端は切断刃２に粘着する。粘着テープロール１と切断刃２の中間に取り付けられた剥離手段３は、この切断刃２に粘着しているテープの中間位置を押圧して当該テープの先端を切断刃２から引き剥がすとともに、テープの中間位置を粘着させたまま６に示す状態に保持する。
【００１６】
図１の６に示すように、粘着テープ４の先端が宙に浮いている状態の時には、片手でも簡単に粘着テープ４の先端をつまんで折り合わせることができる。また、粘着テープ４の先端に非粘着部を形成させたくない場合には、折り合わせずにそのまま引っ張り、切断すればよい。
【００１７】
図２は剥離手段３を示す概略図である。剥離手段３は側方から見てくの字形状をなす板バネ等の弾性体７と、前記弾性体の先端に一体に丸めて形成した押圧部８から構成されるのが最良と考えられる。そして、押圧部８の移動方向Mはテープ切断刃２に粘着している粘着テープを引き剥がす方向の成分を有し、かつ、引き剥がす際に押圧部８はテープロール側（図では左側）へ移動するのが最良と考えられる。
【００１８】
また、粘着テープ４の幅と押圧部８の幅の関係は、粘着テープ４の幅が広くても良いし、同じでも良いし、狭くても良いと考えられる。
【００１９】
弾性体７にねじりばねを用いた場合には剥離手段３は図３に示すような形状になる。
【００２０】
弾性体７に押しバネを使用した場合には剥離手段３は図４に示すような形状になる。
【００２１】
弾性体７は複数あっても良い。図５に弾性体７が二個ある場合を例示する。図５では、二個の弾性体７aと７bに、板バネもしくは弾性ゴムなどの弾性板を使用した場合を想定している。
【００２２】
図２、図３、図４および図５で示した弾性体７の移動方向Mはそれぞれ一例であり、他の移動方向も種々考えられるが、特には、押圧部が、テープ切断刃に粘着している粘着テープを引き剥がす際に、テープロール側（図では左側）へ移動するものであることが望ましい。
【００２３】
図６は凸形状の押圧部８を有した剥離手段３を示す概略図である。図のように押圧部８が中心部が盛り上がった凸形状を有していると、その形状に従って、押圧部８に粘着している粘着テープ４は中心線部分が盛り上がったアーチ状になる。
【００２４】
粘着テープ４は、中心線部分が盛り上がったアーチ状になっていると、多少の揺れや風でも形を崩しにくいので、常につまんで折り合わせやすい状態で保持される。
【００２５】
コストダウン等を図る上では、図７に示すように剥離手段３と切断刃２を一体化させることが望ましい。
【００２６】
なお、本発明は上記実施形態に限られたものではなく、材質や形状は限定されない。
【産業上の利用可能性】
【００２７】
以上に詳述したように、本発明によれば、片手でも容易に粘着テープの一端に非粘着面を形成させ、一度貼った粘着テープを剥がし易くすることが可能になる。また、本発明の実施形態は複雑な機構を必要としないので、コスト面だけでなく耐久性の面でも優れている。
【図面の簡単な説明】
【００２８】
【図１】本発明の一実施形態に係るテープカッターを示す全体の概略図。
【図２】同実施形態に係る剥離手段を示す概略図。
【図３】同実施形態に係る剥離手段の他の一例を示す概略図。
【図４】同実施形態に係る剥離手段のさらに他の一例を示す概略図。
【図５】同実施形態に係る剥離手段の変形態様を示す概略図。
【図６】同実施形態に係る凸形状の押圧部を有した剥離手段を示す概略図。
【図７】同実施形態に係るテープ切断刃と一体になった剥離手段の一例を示す概略図。
【符号の説明】
【００２９】
１・・・テープロール
２・・・切断刃
３・・・剥離手段
４・・・粘着テープ
５・・・切断時の粘着テープの位置
６・・・切断後の粘着テープの位置
７、７a、７b・・・弾性体
８・・・押圧部
M・・・押圧部の移動方向
【図１】
2005213040.tif 000003
【図２】
2005213040.tif 000004
【図３】
2005213040.tif 000005
【図４】
2005213040.tif 000006
【図５】
2005213040.tif 000007
【図６】
2005213040.tif 000008
【図７】
2005213040.tif 000009